(57)【要約】【課題】床部分が動く遊戯装置の提供。【解決手段】本発明の遊戯装置１００は、多角形状リング１１０、シート部材１２０、シール部材、空気送入手段１３０を備える。多角形状リング１１０は、上方にスリットを備えた複数の辺部材１１５を組み合わせることで形成される。シート部材１２０は、空気送入口を備え、多角形状リング１１０のスリット内に封止される。シート部材１２０の各辺は、シール部材により、多角形状リング１１０の各スリットに封止される。更に、空気送入装置１３０は、シート部材１２０に空気を送入する。【選択図】図１
2014018225.tif 000002
【特許請求の範囲】
【請求項１】
多角形状リングと、
前記多角形状リングに封止される、空気送入口を備えたシート部材と
前記シート部材に空気を送入するための空気送入装置を備えた遊戯装置。
【請求項２】
前記多角形状リングの上面にスリットを備え、
前記多角形状リングが、複数の辺部材を組み合わせたリングであり、
前記シート部材が、前記多角形状リングのスリット内に封止され、
前記シート部材の各辺を前記多角形状リングの各スリットに封止するためのシール部材を備える請求項１に記載の遊戯装置。
【請求項３】
前記辺部材が、溝型形状の外側鋼内に内側鋼を配置することにより形成された、請求項２に記載の遊戯装置。
【請求項４】
前記シート部材に液体が充填する水袋を備える請求項１から３いずれか一項に記載の遊戯装置。
【請求項５】
前記シート部材が、前記辺部材の内側スリットに封止される下部シート部材と、前記辺部材の外側スリットに封止される上部シート部材を備える、請求項１から４いずれか一項に記載の遊戯装置。
【請求項６】
前記遊戯装置下部に、表示装置を備える、請求項１から５いずれか一項に記載の遊戯装置。
【請求項７】
前記遊戯装置の一部に被覆される衝撃吸収材を備えた請求項１から６いずれか一項に記載の遊戯装置。
【請求項８】
前記衝撃吸収材がウレタンである請求項７に記載の遊戯装置。
【発明の詳細な説明】
【技術分野】
【０００１】
本発明は、遊戯装置に関し、特に幼児等を対象とする波乗り遊びを可能とする遊戯装置である。
【背景技術】
【０００２】
床部が変位することのできる遊戯装置は、幼児等のユーザに人気があり、遊具メーカからの需要も高い。例えば下記特許文献１には、床部が傾斜することのできる遊戯装置が開示されている。
【先行技術文献】
【特許文献】
【０００３】
【特許文献１】特開２０１０−００５２７４号公報
【発明の概要】
【発明が解決しようとする課題】
【０００４】
遊戯装置の床は、遊戯装置本体を支持するために一般には変位等しないことが多い、変位するとしても上記特許文献に開示の遊具のように、床が単純に傾斜するだけであった。ユーザ（幼児等年少のユーザをいう。以下同じ）にとって、遊戯装置の床は最も頻繁に接触する場所である。従って、複雑な動きをする床に対して、ユーザはかなり興味をひかれることになる。
【０００５】
しかしながら、上記従来技術に記載された床の傾斜等の動きをクランクのみで構成するのは機械設計が複雑になってしまう。従って遊具メーカは通常は遊戯装置の床を動かないように設計することが多い。一方、上記のように動く床を備えた遊戯装置はユーザに人気があるため、単純な構成で動く床は、遊具メーカからも要請されていた。本発明の目的は、単純な構成で様々な動きをする遊戯装置用床機構及び、当該遊戯装置用床機構を使用した遊戯装置を提供することにある。
【課題を解決するための手段】
【０００６】
上記課題を達成するための本発明の遊戯装置は、多角形状リングと、シート部材と、空気送入装置を備えた遊戯装置である。シート部材は、多角形状リングに封止され、空気送入口を備える。そして、空気送入装置が、シート部材に空気を送入する。
上記構成にすることで、シート部材に空気が送入されると、空気が送入されることにより膨張したシート部材が、多角形状リングを覆うので、遊戯者は、多角形状リングに接触することなく、遊戯することが出来る。
【０００７】
本発明の遊戯装置は、多角形状リング、シート部材、シール部材、空気送入手段を備える事でも課題を解決できる。多角形状リングは、上面にスリットを備えた複数の辺部材を組み合わせることで形成される。シート部材は、空気送入口を備え、多角形状リングのスリット内に封止される。シート部材の各辺は、シール部材により、多角形状リングの各スリットに封止される。更に、空気送入装置は、シート部材に空気を送入する。
【０００８】
上記構成であると、シート部材が、上方にスリットを備えた複数の辺部材を組み合わせた多角形状リングに封止される。従って、シート部材に空気が送入されると、空気が送入されることにより膨張したシート部材が、多角形状リングを覆うので、遊戯者は、多角形状リングに接触することなく、遊戯することが出来る。
上記構成において、辺部材が、溝型形状の外側鋼内に内側鋼を配置することにより形成されることが望ましい。シート部材に液体が充填する水袋を備えてもよい。溝型形状の外側鋼内に内側鋼を配置することにより、２つのスリットが辺部材に簡単に形成される。シート部材に液体が充填する水袋を備えることにより、水袋上での遊戯が可能となる。更に、シート部材が、辺部材の内側スリットに封止される下部シート部材と、辺部材の外側スリットに封止される上部シート部材を備えることが望ましい。
【０００９】
更に、遊戯装置下部に、表示装置を備えてもよい。上記表示装置で所定の模様、文字、図形を表示させることで、透明シートに、当該模様、文字、図形が表示されているかのように遊戯者に体感させることができる。従って、上記表示装置により、遊戯者の興味を持続させることが可能となる。
遊戯装置の一部に衝撃吸収材を被覆することもでき、当該撃吸収材として、ウレタンを採用することができる。遊戯装置をウレタン等の衝撃吸収材で被覆することにより、ユーザが誤って、遊戯装置にぶつかったり、落下したりしても衝撃吸収材が衝撃を吸収するので、ユーザが怪我する危険性が少ない。
【発明の効果】
【００１０】
本発明の遊戯装置は、多角形状リング、シート部材、シール部材、空気送入手段を備える。多角形状リングは、上方にスリットを備えた複数の辺部材を組み合わせることで形成される。シート部材は、空気送入口を備え、多角形状リングのスリット内に封止される。シート部材の各辺は、シール部材により、多角形状リングの各スリットに封止される。更に、空気送入装置は、シート部材に空気を送入する。
【００１１】
上記構成であると、シート部材が、上方にスリットを備えた複数の辺部材を組み合わせた多角形状リングに封止される。従って、シート部材に空気が送入されると、空気が送入されることにより膨張したシート部材が、多角形状リングを覆うので、遊戯者は、多角形状リングに接触することなく、遊戯することが出来る。これにより、変更やメンテナンスが簡単な、床部分が動く遊戯装置を提供することが可能となる。
【図面の簡単な説明】
【００１２】
【図１】本発明の実施形態に係る遊戯装置の全体構成を示す平面図である。
【図２】本発明の実施形態に係る遊戯装置の側面図である。
【図３】本発明の実施形態に係る遊戯装置に使用される多角形状リングの平面図である。
【図４】本発明の実施形態に係る遊戯装置に使用される多角形状リングの模式図である。
【図５】本発明の実施形態に係る遊戯装置に使用される継手部材の側面図である。
【図６】本発明の実施形態に係る遊戯装置に使用される多角形状リングの裏側平面図である。
【図７】本発明の実施形態に係る遊戯装置に使用される継手部材の平面図である。
【図８】本発明の実施形態に係る遊戯装置に使用されるシート部材の平面図である。
【図９】本発明の実施形態に係る遊戯装置の側面図である。
【図１０】本発明の実施形態に係る遊戯装置の全体構成を示す平面図である。
【図１１】本発明の実施形態に係る遊戯装置に使用される装飾部材示す平面図である。
【図１２】本発明の実施形態に係る遊戯装置に使用されるシート部材の平面図である。
【図１３】本発明の実施形態に係る遊戯装置に使用されるシート部材の平面図である。
【図１４】本発明の実施形態に係る遊戯装置の側面図である。
【図１５】本発明の実施形態に係る遊戯装置に使用される表示装置を示す平面図である。
【図１６】本発明の実施形態に係る遊戯装置に使用される表示装置を示す平面図である。
【発明を実施するための形態】
【００１３】
（実施の形態１）
以下に、本発明の遊戯装置１００について図面を参照して説明する。図１は、本発明の遊戯装置１００の概略模式図であり、図２は側面図、図３は後述の多角形状リング基体１１０の概略模式図、図４は多角形状リング基体１１０を構成する辺部材１１５の断面図を示している。ただし、本発明に直接には関係しない各部の詳細は省略している。
【００１４】
すなわち、図１に示すように、本発明の遊戯装置１００は、上方にスリットを備えた複数の辺部材１１５を組み合わせた多角形状リング１１０と、多角形状リングのスリット内に封止される、空気送入口を備えたシート部材１２０と、シート部材１２０の各辺を多角形状リング１１０の各スリットに封止するためのシール部材と、シート部材１２０に空気を送入するための空気送入装置１３０を備える。
【００１５】
まず、図１に示すように、多角形状リング状の基体を形成する。溝型鋼（断面を溝型に形成した鋼材）の溝部内に、一対のスリットを形成する。例えば、図４に示すように、上記溝型鋼の幅より狭い幅を持つ小溝型鋼を上記溝型鋼と組み合わせる合わせることにより、スリットを形成する。以下幅の広い方を外側鋼と呼び、幅の狭い方を内側鋼と呼ぶ。本実施例では、外側鋼の内部壁と内側鋼の外部壁間に２つのスリットが形成されるように、外側鋼内に内側鋼を配置する。溝部を上向きにした上記外側鋼内に、上記内側鋼を配置することにより、上記２つのスリットが形成される。内側鋼を外側鋼内に公知の方法で固定されることにより、多角形状リング１１０の辺部材１１５が形成される。
【００１６】
なお、上記２つのスリットが形成できるならば、上記外側鋼、内側鋼は、任意の形状が用いられる。例えば、内側鋼は、溝型鋼の他に、図４に示す角型パイプ１０５を配置することもできる。上記のように形成した辺部材１１５を組み合わせることにより、多角形状リング１１０を形成する。本実施例では、８角形の多角形状リング１１０が形成される。複数の辺部材１１５を形成して、各辺部材１１５の端面を所定角度で切断する。そして、上記端面同士を接合することで、多角形状リング１１０が形成される。
【００１７】
本実施例では、上記のように所定角度で切断した各辺部材１１５は、継手部材１４２により結合される。図５に示すように、２つの平板１４０を所定角度で接合する。このとき、上記平板１４０は、多角形状リング１１０の外側側面を継手部材１４２により固定する場合には、上記２枚の平板１４０同士は、多角形状リング１１０の外側と同一の角度で接合する。多角形状リング１１０の内側側面を継手部材により固定する場合には、上記２枚の平板１４０同士は、多角形状リング１１０の内側と同一の角度で接合する。
【００１８】
さらに、図６及び図７に示すように、多角形状リングの下側側面を継手部材１４２により固定する場合には、辺部材１１５部分とほぼ同一の形状を有する平板１４０により、継手部材１４２が形成される。上記継手部材１４２には所定の位置に孔が形成される。もちろん、上記辺部材１１５の対応する位置に孔が形成される。上記各辺部材１１５を組み合わせ、各辺部材１１５間が上記継手部材１４２により固定される。すなわち、上記辺部材１１５及び上記継手部材１４２に形成した孔同士が公知の固定部材により固定されることになる。
【００１９】
次に、上記多角形状リング１１０の２つのスリットに嵌めこまれるシート部材１２０を形成する。例えば、８角形の多角形状リング１１０であれば、上記シート部材１２０を８角形に形成する。上記シート部材１２０は柔軟性のある部材であれば、任意のシート部材１２０が用いられる。上記シート部材１２０は透光性素材で形成されることが望ましい。
図４及び、図８に示すように、上記シート部材１２０はシート固定板１５０により多角形状リング１１０に備えたスリットに嵌めこまれる。多角形状に形成した上記シートの各辺に上記シート固定板１５０を接着する。シート部材１２０の各辺にシート固定板１５０を収納する袋部を形成してもよい。そして、上記シート固定板１５０とともに、上記シート部材１２０を多角形状リング１１０のスリットに嵌めることになる。本実施例では、上記シート固定板１５０は、シート保護板１５２を介して、公知の固定具により固定される。更に、本実施例では上記シート部材１２０を２枚形成し、上部シート部材１２０aと下部シート部材１２０ｂが形成する空間にブロア等の空気送入装置１３０により、空気が送入されることになる。
【００２０】
前記のように、多角形状リング１１０の各辺部材１１５は、２つのスリットを備える。図３に示すように、当該スリットの内、多角形状リング１１０の内側に近い方のスリットを内側スリット１１１と呼び、多角形状リングの外側に近い方のスリットを外側スリット１１３と呼ぶ。図４に示すように、多角形状リング１１０上部に２枚のシート部材１２０を配置する。そして、２枚のシート部材の内、下側のシート部材（以下、下部シート部材１２０ｂ）の各辺部を上記辺部材１１５の内側スリットに嵌めこむことになる。このとき、下部シート部材１２０ｂの各辺部が、対応する多角形状リング１１０の各辺部材１１５の内側スリットに嵌めこまれる。上記のように、シート部材の各辺に張った一のシート固定板１５０とともに、内側スリットに嵌めこみ、シート保護板１５２を介して、公知の固定具により固定される。なお、上記シート固定板１５０を収納する収納部が、上記下部シート部材１２０ｂに備えられる。収納部に収納された上記シート固定板１５０が、上記辺部材１１５の内側スリットに嵌めこまれる。ここで、上記シート固定板１５０がシール部材に相当する。シート部材１２０と多角形状リング１２０間が接触しないように、クッション１１７が多角形状リング１２０上端に備えられても構わない。
【００２１】
次に、２枚のシート部材１２０の内上側のシート部材（以下、上部シート部材１２０a）の各辺部を上記辺部材１１５の外側スリットに嵌めこむことになる。このとき、上部シート部材１２０aの各辺部が、対応する多角形状リング１１０の各辺部材１１５の外側スリットに嵌めこまれる。上記のように、上部シート部材１２０aの各辺に張った一のシート固定板１５０とともに、外側スリットに嵌めこまれ、シート保護板１５２を介して、公知の固定具により固定される。なお、上記シート固定板１５０を収納する収納部が、上記上部シート部材１２０aに備えられる。収納部に収納された上記シート固定板が、上記辺部材１１５の外側スリットに嵌めこまれる。更に、上部シート部材１２０aの縁に空気が溜まるための空気袋部１２２が上部シート部材の各辺部に形成される。例えば、図９に示すように、断面矩形状（例えば四角形状）の空気袋部１２２が形成される。八角形の上部シート１２０aの場合には、上部シート１２０aの各辺を折り曲げ、隣接する各辺同士を接着することにより、空気袋部１２２が形成される。上部シート部材１２０aは円形状に形成されても構わない。
【００２２】
上記のように、上下のシート部材１２０a、１２０ｂが多角形状リング１１０に嵌められると、上部シート部材１２０aと下部シート部材１２０ｂが形成する空間にブロア等の空気送入装置１３０により、空気が送入されることになる。もちろん上記上部シート部材１２０aに設けられた空気送入口１２１から、空気が送入される。空気袋部１２２を形成することで、図２に示すように、空気袋部１２２がほぼ楕円状に広がり、多角形状リング１１０を覆うことになる。なお、上記ブロアは、多角形状リング１１０の内部に配置してもよいし、外部に配置しても構わない。本実施例では、多角形状リング１１０の外部に設置する。
【００２３】
（実施の形態２）
実施の形態１で記載したシート部材１２０に水袋１２４のような追加機能を備えることもできる。追加機能を備える以外の構成は、実施の形態１と同じであるので、説明及び図示を省略することもある。
【００２４】
図１０に示すように、液体を保持可能な液密の水袋１２４が、上部シート１２０a中央部分に設けられる。上記水袋１２４には水等の液体の出入りするための開閉可能な開口が備えられる。水中ポンプにより、上記水袋１２４の開口から液体（例えば水）を充填し、上記上部シート部材１２０aに設けた空気送入口にブロアにより空気を送入することになる。上記のように、水袋１２４を備えることで、遊戯者は、波乗り遊びの疑似体験が可能となる。
【００２５】
図１１に示す装飾部材１２６を備えてもよい。例えば、中央部分に貫通孔を形成した複数の装飾部材１２６を図１２及び、図１３に示すように、上記上部シート部材１２０a及び下部シート部材１２０ｂに貼り付ける。そして、ロープにより上記装飾部材１２４の貫通孔同士を引き寄せることで、空気袋部１２２の形状を変化させることができる。
更に、ＬＥＤのような光源を上記上部シート部材１２０a及び下部シート部材１２０ｂが形成する空間に配置してもよい。上部シート部材１２０aの水袋１２２に上記光源を配置しても構わない。
【００２６】
実施の形態１では、多角形状リングを直接床に配置したが、所定の上面が開口した箱体上に、多角形状リングを配置しても構わない。例えば八角形の箱体が使用される。上記箱体の内側底面と、４側面には、鏡が貼られる。幼児等が遊戯をすることを想定しているので、上記鏡には幼児等の荷重がかかる。したがって、できるだけ割れにくい鏡を使用することが望ましい。例えば、アクリルの一方面に鏡部を固定したアクリルミラーを上記底面及び、４側面に配置することができる。フイルム状の鏡を上記底面及び、４側面に張り付けることもできる。
【００２７】
本発明の遊戯装置１００には、所定の衝撃吸収材が被覆される。例えば、ウレタン等の衝撃吸収材をシート状に形成する。そして、衝撃吸収材を遊戯装置１００の一部（装置１００すべてでもよく、遊戯者が接触することが予想される部分でもよい。）に被覆した後、当該衝撃吸収材の表面を光沢のある素材で加工する。なお、上記衝撃吸収材は、ウレタン以外の組成物であってもよく、ポリエチレン等の発泡体等の衝撃吸収材が好適に用いられる。衝撃吸収材で被覆することで、遊戯者が誤って遊具にぶつかったとしても、衝撃吸収材によって衝撃が緩和され怪我をするのを効果的に防止することができる。
【００２８】
深海のイメージを奏するように、上記シート部材１２０を青い色に着色してもよいし、注入する水を青く着色しても構わない。
【００２９】
（実施の形態３）
実施の形態１または、実施の形態２で記載した遊戯装置１００に、表示装置を備えることも可能である。表示装置を備える以外の構成は、実施の形態１または、実施の形態２と同じであるので、説明及び図示を省略することもある。図１４、図１５、図１６を参照して、表示装置を説明する。
【００３０】
図１４は表示装置を備えた、本発明の遊戯装置の側面図である。上記表示装置は、遊戯装置の下部に配置される。すなわち、上記多角形状リング１１０内に表示装置が配置されるので、上記多角形状リング１１０及び、表示装置の大きさが調整される。表示装置は、ＬＥＤのように、発光や、点滅を繰り返すことが可能な表示部と、所定の文字や、図形を上記表示部に表示させるための制御部を備える。
【００３１】
まず、多角形状リング１１０内に上記表示装置を配置する。そして、上記表示装置を透明部材で被覆、若しくは配置する。例えばアクリルのような透明部材が好適に用いられる。上記のように透明部材が配置されると、実施の形態１で説明したように、下部シート部材１２０ｂ、上部シート部材１２０aが備えられる。
図１５及び、図１６は表示装置の平面図であり、一例として所定の文字列が表示されている。上記表示装置は、図１５に示すように、各表示部２００ａを組み合わせて、表示装置２００を構成しても構わない。若しくは、図１６に示すように、一枚の表示装置２００に図形を表示させても構わない。
【産業上の利用可能性】
【００３２】
本発明を使用すると、シート部材が、上方にスリットを備えた複数の辺部材を組み合わせた多角形状リングに封止される。従って、シート部材に空気が送入されると、空気が送入されることにより膨張したシート部材が、多角形状リングを覆うので、遊戯者は、多角形状リングに接触することなく、遊戯することが出来る。これにより、変更やメンテナンスが簡単な、床部分が動く遊戯装置を提供することが可能となり、ユーザの興味を持続させながら、水遊びの疑似体験もさせることができる。したがって、その産業上の利用可能性は大きい。
【符号の説明】
【００３３】
１００    遊戯装置
１１０    多角形状リング(多角形状リング基体)
１１５    辺部材
１２０    シート部材
１２０ａ  上部シート部材
１２０ｂ  下部シート部材
１３０    空気送入装置
１４０    平板
１４２    継手部材
１５０    シート固定板
１５２    シート保護板
１２２    空気袋部
１２４    水袋
２００    表示装置
２１０    透明部材
【図１】
2014018225.tif 000003
【図２】
2014018225.tif 000004
【図３】
2014018225.tif 000005
【図４】
2014018225.tif 000006
【図５】
2014018225.tif 000007
【図６】
2014018225.tif 000008
【図７】
2014018225.tif 000009
【図８】
2014018225.tif 000010
【図９】
2014018225.tif 000011
【図１０】
2014018225.tif 000012
【図１１】
2014018225.tif 000013
【図１２】
2014018225.tif 000014
【図１３】
2014018225.tif 000015
【図１４】
2014018225.tif 000016
【図１５】
2014018225.tif 000017
【図１６】
2014018225.tif 000018